(57)【要約】【課題】誘導筒と外筒の相対移動により植付爪を開閉させる爪開閉機構を、植付器にコンパクトに纏めた簡潔で廉価な構成にすると共に、植付器の全体構成を外筒及び誘導筒の外形に沿った形状になし、爪開閉機構を外形から大きく突出させることなく設けることができる植付器を提供する。【解決手段】供給された苗を下方に誘導する誘導筒２に、苗を受けて地中に排出供給する植付爪５を開閉自在に設けた植付器１であって、前記誘導筒２に外筒４を相対移動自在に外嵌し、誘導筒２と外筒４との相対移動操作によって植付爪５を開閉させる爪開閉機構６を設けた構成にする。【選択図】図３
2009065893.tif 000002
【特許請求の範囲】
【請求項１】
供給された苗類を下方に誘導する誘導筒（２）に、誘導された苗類を土中に差込んだ状態で排出供給する植付爪（５）を開閉自在に設けた植付器（１）において、前記誘導筒（２）に外筒（４）を相対移動自在に外嵌し、誘導筒（２）と外筒（４）との相対移動操作によって植付爪（５）を開閉させる爪開閉機構（６）を設けた植付器。
【請求項２】
誘導筒（２）に対し外筒（４）を軸心方向に往復移動させることにより植付爪（５）を開閉させる請求項１の植付器。
【請求項３】
誘導筒（２）の下端部に植付爪（５）を開閉揺動自在に設け、該植付爪（５）の上部に突設され植付爪（５）と共に揺動する作動杆（９）を、外筒（４）の下端部内に収容して覆う請求項１又は２の植付器。
【請求項４】
誘導筒（２）と外筒（４）との上端部側の外周に、上下で対をなし、誘導筒（２）と外筒（４）軸心方向に相対移動操作する把持操作用の第１把持部（２３）と第２把持部（２５）を設けた請求項１又は２又は３の植付器。
【請求項５】
誘導筒（２）と外筒（４）との間に、植付爪（５）を閉鎖姿勢にさせる方向に外筒（４）を付勢するスプリング（２６）を設けた請求項１又は２又は３又は４の植付器。
【発明の詳細な説明】
【技術分野】
【０００１】
本発明は、例えば苗や種芋，発芽性のある茎や幹等の苗類を下方に誘導する誘導筒に植付爪を設けた植付器に関する。
【背景技術】
【０００２】
従来、誘導筒内に挿入供給された苗を下方に誘導し誘導筒の下部に設けた植付爪（種子，苗導出案内部材）を開閉させて地中に排出供給し、苗を植え付けたり播種をする植付器は特許文献１に示されるように既に公知である。
この植付器は、誘導筒の上部に突設した把持部材に操作レバーを設け、該操作レバーの握り操作によって作動杆を介し植付爪を開動させる爪開閉機構を備えている。
【特許文献１】実開昭６２−１９０４１３号公報
【発明の開示】
【発明が解決しようとする課題】
【０００３】
上記特許文献１の植付器は、作業者が立ち姿で把持部材を握って植付爪を地中に差し込み、次いで植付爪を開動させることにより植付爪で形成した植付穴内に苗を着地させるので、腰を曲げることなく植付作業を楽に行うことができる利点がある。然し、この植付器は誘導筒の外側に突設した爪開閉機構の操作レバーと、植付爪を連結する作動杆等のリンク部材が筒外に大きく突出させる構造であるため、植付器を使用する方向が規制されて現場に適応した植付作業が行い難いこと、及び作業者の身体がリンク部材等の突起物に接触し易い等の不具合がある。
また植付作業の中途で一時的に植付器を地面に横倒し状態で置きたい場合に、リンク部材等の突起物に土や雑草が付着し易く、付着物が植付作業を再開する際の開閉作動を妨げる欠点や、また付着物の除去や清掃等のメンテナンス作業を煩雑にする等の問題がある。
【課題を解決するための手段】
【０００４】
上記課題を解決するための植付器は、第１に、供給された苗類を下方に誘導する誘導筒２に、誘導された苗類を土中に差込んだ状態で排出供給する植付爪５を開閉自在に設けた植付器１において、前記誘導筒２に外筒４を相対移動自在に外嵌し、誘導筒２と外筒４との相対移動操作によって植付爪５を開閉させる爪開閉機構６を設けたことを特徴としている。
【０００５】
第２に、誘導筒２に対し外筒４を軸心方向に往復移動させることにより植付爪５を開閉させることを特徴としている。
【０００６】
第３に、誘導筒２の下端部に植付爪５を開閉揺動自在に設け、該植付爪５の上部に突設され植付爪５と共に揺動する作動杆９を、外筒４の下端部内に収容して覆うことを特徴としている。
【０００７】
第４に、誘導筒２と外筒４との上端部側の外周に、上下で対をなし、誘導筒２と外筒４軸心方向に相対移動操作する把持操作用の第１把持部２３と第２把持部２５を設けたことを特徴としている。
【０００８】
第５に、誘導筒２と外筒４との間に、植付爪５を閉鎖姿勢にさせる方向に外筒４を付勢するスプリング２６を設けたことを特徴としている。
【発明の効果】
【０００９】
上記構成される植付器は次のような効果を奏する。誘導筒と外筒を軸心方向に相対移動自在に設け、両筒の相対移動により爪開閉機構を作動させて植付爪を開閉させるので、爪開閉機構を植付器の下部にコンパクトに纏めた簡潔で廉価な構成にすることができる。
全体が筒状であるため、植付爪からの土中への深い差込みが容易で、苗の放出後の姿勢も筒方向に保持され易いほか、外筒の昇降スライドも行い易い利点がある。また爪開閉機構を外周から大きく突出させることなく設けているので、土中への差込後の爪の開駆動も行い易く、取扱いも容易である。
【００１０】
誘導筒に対し外筒を軸心方向に往復移動させる操作によって植付爪を開閉させるので、操作がスムースで且つ簡単である。植付爪を誘導筒の下部側に連通させて設けることができ、供給される苗類を誘導筒から植付爪へスムーズに誘導案内することができる。また外筒を誘導筒に対して移動操作させるので、植付爪を誘導筒に上下動させることなく支持しながら開閉させ、苗の植付けを精度よく行うことができる。植付爪を備えた誘導筒に嵌挿した外筒を上下させる動作で爪開閉機構を作動させて植付爪を開閉させるので、爪開閉機構を植付器内に収めた筒軸体となるため、爪開閉機構を植付器の下部にコンパクトに外観よく纏め取り扱い易い構成にすることができる。
【００１１】
誘導筒の下端部と植付爪の上端部との間に形成される隙間を、植付爪の閉鎖状態で軸方向に相対移動させる外筒によって覆うので、植付器を地面に横倒し状に放置しても上記隙間からの土の侵入を防止することができる。また外筒によって植付爪の上端部の変形等を防ぐことができる。
【００１２】
誘導筒と外筒との上端部側の左右に上下で対をなすように設けた把持操作用の第１把持部と第２把持部は、立ち姿勢において両手で左右の第１把持部及び第２把持部とを同時に握ることができ、植付爪の地中の差し込みや苗の排出供給を楽に行うことができると共に、苗の植付精度を向上させながら植付作業を能率よく行うことができる。
【００１３】
誘導筒と外筒との間に植付爪を閉鎖姿勢に付勢するスプリングを設けることにより、開動した植付爪をスプリングの付勢力によって無理なく速やかに閉じることができ、次位の植付作業を能率よく続行することができる。
【発明を実施するための最良の形態】
【００１４】
本発明の一実施形態を図面に基づいて説明する。図１は本発明の植付器の全体構造を示す側面図であり、図２は図１の正断面図であり苗の収容姿勢を示す。図３は図２の植付器１を地中に差し込んで苗を植付け植付姿勢を示す正断面図である。図４は図３の要部の構成を拡大して示す正断面図である。
【００１５】
この植付器１は作業者が立ち姿で使用する手動操作型としており、上方から苗を挿入供給して下方に誘導する誘導筒２と、該誘導筒２の下部で苗を受けて地中に供給する植付部３と、誘導筒２に外嵌され軸心方向にスライド自在に設けられる外筒４と、該外筒４と誘導筒２の相対移動によって植付部３の植付爪５を開閉作動させる爪開閉機構６等からなる。植付爪５は複数（本例では一対）の爪片からなる下向きの円錐又は角錐状をして嘴状に開閉する構造となっており、土中への差込及び土中での開閉が容易な構造となっている。
【００１６】
図示例の植付器１は、内径を６０ミリ程度とし長さ９５０ミリ程度に加工したパイプ材により誘導筒２形成しており、上端の開口部７から苗を挿入供給することができると共に、図４に示すように下端に肉厚な下部誘導筒２ａを一体的に形成している。この下部誘導筒２ａは直径方向の対向位置に幅１０ミリ程度のスリット８を上下方向に穿設しており、該スリット８内に植付爪５の上部に上向きに穿設した作動杆９を収容させ、該作動杆９を支持軸１１によって揺動回動可能に軸支している。
【００１７】
上記作動杆９は各爪片に設けられ、図２で示すように正面視でくの字形状にしており、植付爪５の閉鎖姿勢においてスリット８内に沿って収納される案内部１２と、該案内部１２の上部から所定の傾斜角を有して屈曲し外筒４の外側に突出する長さの作動部１３とからなる。そして、作動部１３の端部には外筒４に形成した後述する作動孔１５の外周に接当するストッパ１６を設け、植付爪の開動上限を規制している。
【００１８】
また図示例の作動杆９は各植付爪５の爪片の各上端部に補強を兼ねて設けた支持片１７の中途から一体的に突設しており、支持片１７は下部誘導筒２ａの周壁に沿うように半円弧状に形成されている。
そして、左右対称形状で形成される植付爪５は、例えば長さ１２０〜１５０ミリ程度の牡丹苗を移植するに好適なものとして、長さ２３０ミリ程度とし平面視で断面Ｖ字状をなして下方に集束する先鋭な形状にしている。これにより両植付爪５は閉鎖姿勢において嘴を閉じた状態で地面に差し込み易い先鋭形状にすることができ、地面に差し込んだ植付姿勢において嘴を開いた開口状態にするとき、両爪先端部が誘導筒２の内径と略等しくなる程度に開く構造である。
【００１９】
外筒４は誘導筒２に相対移動自在に外嵌しており、下端部に前記下部誘導筒２ａに外嵌する径の下部外筒４ａを接続している。そして、下部外筒４ａは作動杆９の作動部１３を突出させる前記作動孔１５をスリット８に対面する長孔状に穿設し、作動孔１５の下部に作動杆９の作動部１３を接当自在とする大径のリング状の接当部２１を設けている。
尚、図示例のスリット８は、下部誘導筒２ａと接合する部位の誘導筒２の一部にも穿設され、作動孔１５は下部外筒４ａと接合する部位の外筒４の一部にも穿設される。またスリット８と作動孔１５に挿入される作動杆９は、誘導筒２と外筒４との周方向の相対移動を規制している。
【００２０】
以上のように誘導筒２と外筒４の下部に爪開閉機構６を構成した植付器１は、この実施形態においては図１〜図３で示すように、両者の相対移動を行わせる操作部２２を備えている。この操作部２２は誘導筒２の上端両側で直径方向に突設される第１把持部２３と、外筒４の上端両側に突設される第２把持部２５とからなる。また第１把持部２３と第２把持部２５との間でコイル状のスプリング２６を誘導筒２に嵌挿し、外筒４を下方に押動付勢すると共に、爪開閉機構６を介し両植付爪５を閉鎖方向に付勢している。
【００２１】
そして、図示例の操作部２２は第１把持部２３と第２把持部２５とを、それぞれ誘導筒２と外筒４に外嵌め固定した取付環２７の直径方向対称位置に突設し、且つ上下で対をなす第１把持部２３と第２把持部２５を、左右の手で同時に把持して握ることができる位置関係に定めている。
【００２２】
これにより立ち姿の作業者は両手で左右に突設された第１把持部２３を把持することができるので、植付器１を安定姿勢で持ち上げることができ、且つ植付位置に対する位置決めを容易に行なうことができ、また植付部３を地中に両手の力で楽に差し込むことができる。この植付器は上記のように手押しによって土中に差込むことができるほか、外筒４の下方外周にペダルとなる突起物を突設し、足で踏み込んで差込む構造にしても良い。
【００２３】
この植付姿勢で第１把持部２３と第２把持部２５を把持した両手を握ると、誘導筒２側の第１把持部２３を支持点としてスプリング２６に抗して第２把持部２５を簡単に引き上げることができる。これにより外筒４を誘導筒２に沿わせてスライド上昇させることができ、外筒４の上昇移動により爪開閉機構６を作動し左右の植付爪５を同時に開動することができる。
【００２４】
このとき爪開閉機構６は図２で示される植付部３の閉鎖姿勢において、作動杆９が案内部１２をストッパ１６内に収納し誘導筒２の内周面と略面一な姿勢にあるので、上方から供給される苗の引っ掛かりを防止しスムーズに通過させて植付部３に至らせることができる。次いで、図４で示すように前記操作によって外筒４を上方移動すると、外筒部２１の作動孔１５から突出している作動部１３の外側傾斜面が外筒４に設けた接当部２１によって押動されるため、作動杆９は支持軸１１を支点に内側に回動し植付爪５を外側に向けて開動させることができる。また植付爪５の開動上限はストッパ１６が作動孔１５の両側に接当する位置によって規制される。
【００２５】
そして、第２把持部２５の握り操作が解除されると、外筒４の下降移動に基づき作動孔１５の上端が作動部１３の内側傾斜面を押接するので、作動杆９は外向き回動し植付爪５を閉じ閉鎖姿勢にすることができる。この植付爪５の閉じ操作は、苗根部が植付部３によって形成された植付穴に着地した状態で、植付部３を地表に引き抜いて苗茎葉部から離したタイミングで行うことが望ましい。
【００２６】
以上のように構成される植付器１は、一方の第１把持部２３を片手で把持した状態で他方の手で苗を開口部１１内に供給すると、苗は誘導筒２内を経て閉鎖姿勢にある植付爪５で形成される狭窄状の空間部に至り植付姿勢に安定よく保持される。次いで作業者は両手で左右の第１把持部２３を把持し植付部３を地中に差し込んだのち、両手で第１把持部２３と第２把持部２５を握り外筒４を上昇操作する。
【００２７】
これにより植付爪５は誘導筒２を介して定位置に差し込み保持した状態で外筒４のみを上昇移動させることができ、植付部３の植付位置や植付姿勢を乱すことなく立ち姿勢を維持し左右の植付爪５を等しく開動させることができ、開動姿勢において地中に形成された穴に苗の根部を着地させることができる。次いで作業者は両手で第１把持部２３と第２把持部２５を握ったまま上方に向けて植付器１を引き抜くことにより、植付爪５の開動姿勢を保持したまま苗から離間する。
こののち簡単に土寄せをして苗の植付作業を完了することができ、第２把持部２５から手を離すと、外筒４は自重にスプリング２６の付勢力が付加されて下降復帰し植付爪５を速やかに閉じて、次位の植付作業を能率よく続行することができる。土寄せは（覆土）は植付器先端が差込まれた植付器に対してのみ行えば足りるので覆土作業も容易である。
【００２８】
このような植付作業において、植付爪５を備えた誘導筒２に外筒４を嵌挿し上下させる動作で爪開閉機構６を作動し植付爪５を開閉せるので、爪開閉機構６を植付器１内に収めることができる。従って、この植付器１は上方の第１把持部２３と第２把持部２５の他に大きな突出物のない筒軸体となるため、筒の外周に爪開閉機構６のリンク部材が大きく突出しない簡潔で廉価な構成によって製作することができ、取り扱い易く安全に使用することができる。
【００２９】
そして、植付器１は閉鎖姿勢において、誘導筒２の下端部に設けた植付爪５の上部が外筒４の下端部内に収容され、誘導筒２と植付爪５の上端部との間に生ずる隙間を覆っているので、植付器１を地面に横倒し放置したとしても上記隙間からの土の侵入を防止し、土の除去作業を省略することができる。また外筒４の下端で覆われる植付爪５の上端部は、放置時に他物との接当変形や破損等を防ぎ、且つ開動操作によって上方に移動するので植付爪５の開閉を妨げず、植付作業の再開をスムーズに行うことができる等の利点がある。
【００３０】
尚、図示例の植付器１は、誘導筒２と外筒４との間にスプリング２６を設けて植付爪５を閉鎖姿勢に付勢するようにしたが、スプリング２６を省略する場合は外筒４の自重を大きくして下方へのスライド移動を促進させることが望ましい。また実施形態の植付器１は誘導筒２と外筒４の相対移動を軸心方向として、植付爪５を開閉させる構成を示したが、例えば誘導筒２に対し外筒４を外周方向に回動させる動作によって植付爪５を開閉させる爪開閉機構を構成することもできる。
【００３１】
さらに上記植付器１は把持部等を除去した構成で走行作業機に装着することにより、誘導筒２と外筒４を動力によって相対移動させて植付作業を行うことができ、苗類供給部を誘導筒２の開口部に設けた乗用植付機等にも応用することができる。また図３では植付爪部分を浅く土中に差込んでいるが、一般には耕耘して畝立てした圃場に植付けるので、作物によっては植付爪全体を深く差込む場合もあり、この場合でも差込みは比較的容易に行うことができる。
【図面の簡単な説明】
【００３２】
【図１】本発明に係わる植付器の全体構造を示す側面図である。
【図２】図１の苗の収容姿勢を示す正断面図である。
【図３】図２の植付器を地中に差し込んだ植付作業を示す正断面図である。
【図４】図３の要部の構成を拡大して示す正断面図である。
【符号の説明】
【００３３】
１    植付器
２    誘導筒
３    植付部
４    外筒
５    植付爪
６    爪開閉機構
７    開口部
９    作動杆
２３  第１把持部
２５  第２把持部
２６  スプリング
【図１】
2009065893.tif 000003
【図２】
2009065893.tif 000004
【図３】
2009065893.tif 000005
【図４】
2009065893.tif 000006